(57)【要約】【課題】ランプを容易に交換できコストを抑え、バックライトユニット脱着時に液晶表示器を傷つけない液晶表示装置を提供することである。【解決手段】液晶表示装置１０は、複数のランプ１９を収納したバックライトユニット２０と、複数のバックライトユニット２０を収納する裏蓋１１と、バックライトユニット２０の前面に配設した液晶表示器１３と、バックライトユニット２０の間に位置するように裏蓋１１に設けると共に、液晶表示器１３を支持する支持突起１８とを備え、各バックライトユニット２０は、支持突起１８に沿いながら裏蓋１１の側方から引き出し可能な構成とする。【選択図】    図１
2004251931.tif 000002
【特許請求の範囲】
【請求項１】
複数のランプを収納したバックライトユニットと、複数の該バックライトユニットを収納する裏蓋と、前記バックライトユニットの前面に配設した液晶表示器と、前記バックライトユニット間に位置するように前記裏蓋に設けると共に、前記液晶表示器を支持する支持突起とを備え、前記各バックライトユニットは、前記支持突起に沿いながら前記裏蓋の側方から引き出し可能とすることを特徴とする液晶表示装置。
【請求項２】
前記支持突起の下側部に溝を設け、前記バックライトユニットの下側部に前記溝に挿嵌する突条部を設けることを特徴とする請求項１記載の液晶表示装置。
【請求項３】
前記支持突起はスペーサピン又は桟であることを特徴とする請求項１又は２記載の液晶表示装置。
【請求項４】
前記バックライトユニットは、前記支持突起と当接する部分をバックライトユニットの引き出し方向に拡げた形状とすることを特徴とする請求項１〜３の何れかに記載の液晶表示装置。
【発明の詳細な説明】
【０００１】
【発明の属する技術分野】
本発明は、バックライトが直下方式の液晶表示装置に関するものである。
【０００２】
【従来の技術】
液晶表示装置のバックライトには直下方式やサイドライト方式等がある。ここで、大画面の液晶表示装置は主に直下方式が採用されている。直下方式バックライトは液晶ディスプレイ（以下、ＬＣＤと記す）パネルの真下に冷陰極管ランプを複数本並べて面光源化するものである。
【０００３】
ところで、ランプは長期の使用により寿命が尽きてしまう。その際、ランプの交換が必要となるが、それにはランプの取り外しが可能となるまで本体を分解しなければならない。例えば、複数のランプを収納したバックライトとＬＣＤパネルとを枠体などで一体形成している場合、まず枠体などを外してバックライトケースからＬＣＤパネルを取り外し、更にバックライトケース自体もランプの取り外しが可能になるまで分解していた。これは非常に手間のかかる作業となる。
【０００４】
そこで、バックライト全体を１ユニット化し、このバックライトユニットを液晶表示装置に着脱可能な構成にすることで、ランプの交換作業を容易にしたものが提案されている。例えば、特許文献１ではバックライトユニットを液晶表示装置の本体の挿入口から挿入することにより、スライドガイドに沿って表示ユニットの後方位置に配置されるバックライトユニットが提案されている。これにより、バックライトをユニット毎容易に交換できる。
【０００５】
また、特許文献２にはバックライトが液晶表示パネルユニットに対し、コネクタホルダが取り付けされている端部方向に沿って引き出し可能に取り付けられる液晶表示装置が開示されている。これにより、バックライトを引き出してランプ交換することができる。
【０００６】
ところで、ＬＣＤパネルが大型になるにつれてパネルの中央部の撓みが大きくなる。そこで、特許文献３のようにランプハウス内の底部にスペーサピンを配してパネルを支えている。
【０００７】
【特許文献１】
特開平６−２５８６４３号公報
【０００８】
【特許文献２】
特開平８−４５３２７号公報
【０００９】
【特許文献３】
特開平１０−３２６５１７号公報
【００１０】
【発明が解決しようとする課題】
しかしながら、上記の特許文献１や特許文献２でランプ交換はユニット毎行うので容易であるが、１つのランプが切れた場合でも全部交換しなければならず、コストがかかる。
【００１１】
更に、特許文献１や特許文献２の構成に特許文献３のスペーサピンを設けると、バックライトユニット脱着時にスペーサピンもバックライトユニットと一緒に動くため、スペーサピンが支えている光拡散板などに傷がつき、好ましくない。
【００１２】
本発明は、上記の問題点に鑑み、ランプを容易に交換できコストを抑え、バックライトユニット脱着時に液晶表示器を傷つけない液晶表示装置を提供することを目的とする。
【００１３】
【課題を解決するための手段】
上記目的を達成するために本発明の液晶表示装置は、複数のランプを収納したバックライトユニットと、複数のバックライトユニットを収納する裏蓋と、バックライトユニットの前面に配設した液晶表示器と、バックライトユニット間に位置するように裏蓋に設けると共に、液晶表示器を支持する支持突起とを備え、各バックライトユニットは、支持突起に沿いながら裏蓋の側方から引き出し可能とすることを特徴とするものである。
【００１４】
この構成によると、ランプの何れかが切れた場合、そのランプが収納されているバックライトユニット毎引き出して交換すれば、容易に安全に交換することができる。また、バックライトユニットが複数あるのでランプが切れたユニットだけを交換できコストを抑えることができる。更に、支持突起は裏蓋に固定されているので、バックライトユニットを引き出す際に液晶表示器を傷つけることがない。
【００１５】
上記の液晶表示装置において、前記支持突起の下側部に溝を設け、前記バックライトユニットの下側部に前記溝に挿嵌する突条部を設けることができる。
【００１６】
これにより、裏蓋にバックライトユニットを容易に固定することができ、液晶表示器に均一な光を提供することができる。
【００１７】
上記の液晶表示装置において、前記支持突起はスペーサピン又は桟とすることができる。
【００１８】
このように、支持突起はバックライトユニットを固定するとともに液晶表示器を支持できる形状であればよい。
【００１９】
上記の液晶表示装置において、バックライトユニットは、支持突起と当接する部分をバックライトユニットの引き出し方向に拡げた形状としてもよい。
【００２０】
これにより、バックライトユニットを裏蓋に滑らかに挿入、又は引き出すことができるとともに、確実にバックライトユニットを装着することができる。
【００２１】
【発明の実施の形態】
以下に本発明の実施形態について図面を参照して説明する。図１は液晶表示装置の側断面図であり、図２は裏蓋の概略斜視図、図３はバックライトユニットの斜視図、図４は他の裏蓋の斜視図、図５は他のバックライトユニットの平面図、図６は図５のバックライトユニットを収納可能な裏蓋の平面図である。
【００２２】
図１に示すように、液晶表示装置１０は直下方式のバックライトを採用している。液晶表示装置１０は裏蓋１１及びバックライトユニット２０の前面に前面枠１２が取り付けられて構成される。
【００２３】
前面枠１２は、複数のパネルやシートからなる液晶表示器１３を支持している。液晶表示器１３は、２枚の透明電極付きガラス基板１４ａ、１４ｂの間に液晶（不図示）を封入し、且つこれらガラス基板１４ａ、１４ｂの前背面に偏光板１５ａ、１５ｂを配置し、更に、板厚が２〜３ｍｍ程度でアクリルやポリカーボネート等の透光性樹脂からなる光拡散板１６、及び光拡散板１６の前面に集光性シート１７等を積層したシート類を配置して構成される。
【００２４】
また裏蓋１１は、バックライトユニット２０の底面を覆う裏板１１ａと、裏板１１ａの内側に形成された額縁状の側面枠１１ｂとから構成される。なお、側面枠１１ｂは裏蓋１１と一体成形してもよい。そして、裏蓋１１の内部には光拡散板１６を支持する複数の支持突起１８が形成されている。支持突起１８間には複数のランプ１９を有したバックライトユニット２０が収納される。バックライトユニット２０は支持突起１８に沿って着脱され、支持突起１８がバックライトユニット２０の案内部の役割を兼ねている。ランプ１９には、例えば冷陰極管（蛍光）ランプを用いることができる。
【００２５】
図２に示すように、裏蓋１１内部は支持突起１８によって仕切られている。なお、図２では裏板１１ａと側面枠１１ｂとを一体としている。支持突起１８は断面が略三角形の桟の形状をしており、下側部に溝１８ａが形成されている。また裏蓋１１の一側面にはバックライトユニット２０を挿嵌する挿入口１１ｃが開けられている。
【００２６】
このように、支持突起１８は裏蓋１１に固定されているので、バックライトユニット２０の脱着の際に光拡散板１６と支持突起１８が擦れる可能性が少なく、光拡散板１６を傷つけるおそれがない。従って、均一な明るさの光を液晶表示器１３へ供給することができる。
【００２７】
図３に示すように、バックライトユニット２０は断面が裏蓋１１の挿入口１１ｃと同形状であり、下側部に突条部２０ａが形成されている。この突条部２０ａはバックライトユニット２０を裏蓋１１に挿入する際に溝１８ａに挿嵌することによって、バックライトユニット２０を裏蓋１１に固定する。ランプ１９の何れかが切れた場合、そのランプ１９が収納されているバックライトユニット２０毎引き出して交換すれば、容易に安全に交換することができる。更に、ユニットの数を多くして１ユニットに収納されるランプの数を少なくする程ランプの無駄がなく、交換コストは抑えられる。
【００２８】
例えば、幅約９００ｍｍの裏蓋を用いた場合、１つのバックライトユニットの幅は１５０〜２５０ｍｍとし、１ユニットにランプは６〜１２本収納することができる。なお、１ユニットのランプの数はＧＮＤが共通にできるため偶数本が好ましい。
【００２９】
図３では、バックライトユニット２０の突条部２０ａが形成されている面にテーパーを有した側壁２０ｂが存在するが、この側壁は必ずしも必要ではない。側壁の内面は反射板の役割があるので、側壁を省略する場合は支持突起１８を反射板として利用すればよい。
【００３０】
また図４に示すような裏蓋３０を用いることもできる。裏蓋３０内部は支持突起３１によって仕切られている。支持突起３１は土台の上に截頭円錐が形成されたスペーサピンである。断面は図２の支持突起１８と同形状をしている。支持突起３１は図２の支持突起１８と同軸上に設けられ、図４では各バックライトユニット間に２個設けられている。なお、支持突起３１の個数に制限はない。また裏蓋３０の一側面にはバックライトユニット２０を挿入する挿入口３０ａが開けられている。
【００３１】
なお、裏蓋１１、３０において、支持突起１８、３１は裏蓋１１、３０と一体成形してもよいし、ビスや接着剤で裏蓋１１、３０に固定してもよい。
【００３２】
また、バックライトユニットは液晶表示装置の縦、横どちらの方向に引き出せるようにしてもよい。横長の液晶表示装置の場合は縦方向に引き出すように構成することによりランプ長を短くでき、ランプの破損のおそれが少なくなる。
【００３３】
他の形状として、図５に示すバックライトユニット４０に対しては、図６に示す裏蓋５０を用いることができる。バックライトユニット４０の概略構成は図３に示したバックライトユニット２０と同様であるが、裏蓋５０からの引き出し方向（図５の矢印Ａ方向）に拡げた形状としている。即ち、バックライトユニット４０の引き出し手前側の側壁４０ｃの長さを奥側の側壁４０ｄの長さよりも長くし、突条部４０ａ及び突条部４０ａが形成されている面の側壁４０ｂが、側壁４０ｄから側壁４０ｃ方向へ拡がっている形状としている。
【００３４】
これに対応して、裏蓋５０は図６に示すように、内側面５１と支持突起５２とをバックライトユニット４０の引き出し方向（図６の矢印Ａ方向）に拡げた形状とする。なお、支持突起５２の断面形状は図２に示した支持突起１８と同形状とする。これにより、バックライトユニット４０を裏蓋５０に滑らかに挿入、又は引き出すことができるとともに、確実にバックライトユニット４０を装着することができる。
【００３５】
【発明の効果】
本発明によれば、各バックライトユニットは、裏蓋の側方から引き出し可能とすることにより、ランプの何れかが切れた場合、そのランプが収納されているバックライトユニット毎引き出して交換すれば、容易に安全に交換することができる。また、バックライトユニットが複数あるのでランプが切れたユニットだけを交換できコストを抑えることができる。更に、支持突起は裏蓋に固定されているので、バックライトユニットを引き出す際に液晶表示器を傷つけることがない。
【００３６】
また本発明によれば、支持突起の下側部に溝を設け、バックライトユニットの下側部に該溝に挿嵌する突条部を設けることにより、裏蓋にバックライトユニットを容易に固定することができ、液晶表示器に均一な光を提供することができる。
【００３７】
また本発明によれば、バックライトユニットは、支持突起と当接する部分をバックライトユニットの引き出し方向に拡げた形状とすることにより、バックライトユニットを裏蓋に滑らかに挿入、又は引き出すことができるとともに、確実にバックライトユニットを装着することができる。
【図面の簡単な説明】
【図１】本発明の液晶表示装置の側断面図である。
【図２】本発明の裏蓋の概略斜視図である。
【図３】本発明のバックライトユニットの斜視図である。
【図４】本発明の他の裏蓋の斜視図である。
【図５】本発明の他のバックライトユニットの平面図である。
【図６】図５のバックライトユニットを収納可能な裏蓋の平面図である。
【符号の説明】
１０    液晶表示装置
１１、３０    裏蓋
１３    液晶表示器
１８、３１、５２    支持突起
１８ａ    溝
１９    ランプ
２０、４０    バックライトユニット
２０ａ、４０ａ    突条部
【図１】
2004251931.tif 000003
【図２】
2004251931.tif 000004
【図３】
2004251931.tif 000005
【図４】
2004251931.tif 000006
【図５】
2004251931.tif 000007
【図６】
2004251931.tif 000008